(57)【特許請求の範囲】
【請求項１】
面形状とした名前の記入領域を有するとともに、前記記入領域は、その本体生地と異なる色彩の糸を本体の成形と同時に編み込むことにより設けられ、前記名前の記入領域はキャラクターと同時に編み込むようにし、名前の記入領域に隣接して記入領域を示す表示を本体生地と異なる色彩の糸で形成したことを特徴とする靴下。
【発明の詳細な説明】
【０００１】
【発明の属する技術分野】
この発明は、子供用、大人用、紳士用、女性用など各種の靴下に関するものである。
【０００２】
【従来の技術】
従来より、子供用その他の各種の靴下が製造販売されている。
【０００３】
ところで、特に子供の場合などみんなで一緒に遊んでいる最中に靴下が濡れたり湿ったりして脱ぐことも多いが、これら脱いだ靴下同士がごっちゃになり、後でどれが誰のだったかが分からなくなってしまうことがあった。また、兄弟や姉妹同士の靴下のサイズが似通っている場合、洗濯の際にどっちが誰のだったかが分からなくなることが多い。
【０００４】
このため、名前の記入枠を予め靴下にプリントした状態で製造販売し、購入した子供達が名前をプリントの枠内に記入してから着用するようにしたらどうかと検討した。
【０００５】
しかし、靴下に枠のプリントを施した場合には、枠の大きさにより靴下に必要な伸縮性が阻害され、何回かの洗濯を繰り返すとプリントがそのうち剥がれ落ちて、枠の中に記入された名前だけが靴下に不格好に残ってしまうという問題があった。
【０００６】
【発明が解決しようとする課題】
そこで、この発明は、洗濯を繰り返しても従来よりも名前だけが不格好に残りにくい靴下を提供しようとするものである。
【０００７】
【課題を解決するための手段】
前記課題を解決するためこの発明では次のような技術的手段を講じている。
【０００８】
この発明の靴下は、面形状とした名前の記入領域を有するとともに、前記記入領域は、その本体生地と異なる色彩の糸を本体の成形と同時に編み込むことにより設けられ、前記名前の記入領域はキャラクターと同時に編み込むようにし、名前の記入領域に隣接して記入領域を示す表示を本体生地と異なる色彩の糸で形成したことを特徴とする。
【０００９】
この靴下によると、名前の記入領域はその本体生地と異なる色彩の糸を編み込むことにより設けられたので、洗濯に対する色落ちに関しプリントを施した場合と比較して非常に強い。また本体生地と異なる色彩の糸は本体の成形と同時に編み込むこととしたので、靴下の成形が終了した後に後処理としてプリントを施す場合よりも少ない工程で製造することができる。
【００１２】
名前の記入領域に隣接して記入領域を示す表示を本体生地と異なる色彩の糸で形成しており、名前の記入領域であることをより明確にすることができる。
【００１３】
【発明の実施の形態】
以下、この発明の実施の形態を図面を参照して説明する。
（実施形態１）
図１に示すように、この実施形態の靴下は子供用のソックスとしており、その本体生地１は全体的に白色としているが、足を入れる開口端２の近傍はピンク色としている。また、白色の本体生地１にはウサギのキャラクター３を幾つか編み込んでいる。
【００１４】
なお靴下の本体生地１として、表面側は綿糸やアクリル糸、裏面側は弾力性のあるポリウレタン糸にナイロン糸を巻いた糸やポリウレタン糸にポリエステル糸を巻いた糸等を用いることができる。
【００１５】
この靴下は、名前の記入領域４を有する。この記入領域４は、その本体生地１の白色と異なる色彩である黒色の糸を、ウサギのキャラクター３を有する本体の成形と同時に編み込むことにより設けている。
【００１６】
前記名前の記入領域４は枠形状として形成しており、ナイロンフィラメントをウーリー加工したウーリーナイロン糸で形成するのが好ましい。ウーリーナイロン糸は綿糸と比較するとクシャクシャと縮れていて、本体生地１に編み込むと非常に抜け難く洗濯にも強いからである。名前の記入領域４としてはナイロン糸の他に、ポリエステル糸なども好適に使用することができる。
【００１７】
この名前の記入領域４は、靴下の足底の部分に形成することが識別が必要な際以外は目に付き難く好ましい。例えば、ソックスの土踏まずの部分に形成することが望ましい。
【００１８】
この枠状の名前の記入領域４に隣接して、記入領域４であること示す「なまえ」という表示５を本体生地１の白色と異なる黒色の糸で枠のすぐ上に形成している。
【００１９】
次に、この実施形態の靴下の使用状態を説明する。
【００２０】
この靴下を購入した子供達は、自分の名前を名前の記入領域４の枠内に油性マジック等で記入する。この靴下を履くと、みんなで一緒に遊んでいる最中に靴下が濡れたり湿ったりして脱ぎこれら脱いだ靴下同士がごっちゃになったとしても他人の靴下と間違うことがない。
【００２１】
また名前の記入領域４は、その本体生地１と異なる色彩の糸を編み込むことにより設けられたので、洗濯に対する色落ちに関しプリントを施した場合と比較して非常に強い。
【００２２】
すなわち名前の記入領域４は本体生地１と一体的で伸縮性に富み洗濯を繰り返しても変形したり剥がれたりし難く、名前だけが不格好に残ることには従来よりもなり難いという利点がある。
【００２３】
そして、名前の記入領域４の本体生地１と異なる色彩の糸は本体の成形と同時に編み込むこととしたので、靴下の成形が終了した後に後処理としてプリントを施す場合よりも少ない工程で製造することができるという利点がある。すなわち、名前の記入領域４はウサギのキャラクター３と同時に編み込むので手数がかからない。
【００２４】
さらに、名前の記入領域４は枠形状として形成しているので枠内に名前を書き込むことができ、この名前の記入領域４に隣接して記入領域４を示す表示５を本体生地１と異なる色彩の糸で形成しているので名前の記入領域４であることをより明確にすることができる。
【００２５】
この靴下（ソックス）は子供用の他に大人用、紳士用、女性用など各種のものとして適用することができる。
（実施形態２）
次に、実施形態２を実施形態１との相違点を中心に説明する。
【００２６】
図２に示すように、この実施形態の靴下は子供用のソックスとしており、その本体生地１は足を入れる開口端２から全体的に黒色としているが、足首の近傍６は白色としている。この白色の本体生地１の部分には、火を噴く怪獣のキャラクター３を編み込んでいる。
【００２７】
また名前の記入領域４は、足底の部分に、本体生地１の黒色に対する薄色として白色の糸で長方形の面形状として形成している。したがって、本体生地１の色が黒色と濃くそこにそのまま名前を油性ペン等で記入しても識別し難い場合でも、白色の長方形の面形状の名前の記入領域４に記入することにより、名前がくっきりとして分かり易くなる。
【００２８】
さらに、この白色の長方形の面形状の名前の記入領域４に隣接して、記入領域４であること示す「なまえ」という表示５を、本体生地１の黒色と異なる赤色の糸で枠のすぐ上に形成している。
【００２９】
【発明の効果】
この発明は上述のような構成であり、次の効果を有する。
【００３０】
洗濯に対する色落ちに関しプリントを施した場合と比較して非常に強いので、洗濯を繰り返しても名前だけが不格好に残ることには従来よりもなり難い靴下を提供することができる。
【００３１】
また、靴下の成形が終了した後に後処理としてプリントを施す場合よりも少ない工程で製造することができる。
【図面の簡単な説明】
【図１】この発明の靴下の実施形態１を説明する斜視図。
【図２】この発明の靴下の実施形態２を説明する斜視図。
【符号の説明】
１  本体生地
４  名前の記入領域
５  表示
【図１】
0003728712.tif 000002
【図２】
0003728712.tif 000003